(57)【要約】【課題】撮影環境を検出することにより被写体までの距離を予測し、予測した距離に応じたサーチ方向で合焦動作を行う。【解決手段】被写体輝度を取得し（ステップＳ３１）、取得した被写体輝度がＬｖ１０より大きいか否かを判定する（ステップＳ３２）。Ｌｖ１０より大きい場合は、撮影環境を室外と判断し、フォーカスレンズを無限遠端へ移動し（ステップＳ３３）、無限遠端から至近側へ移動させながら合焦動作を行う（ステップＳ３４）。Ｌｖ１０以下の場合は、撮影環境を室内と判断し、フォーカスレンズ１６を至近端へ移動し（ステップＳ３５）、無限遠側へ移動させながら合焦動作を行う（ステップＳ３６）。【選択図】  図３
2009086349.tif 000002
【特許請求の範囲】
【請求項１】
撮影レンズを介して受光した被写体の光学像を画像信号に変換する撮影手段と、
フォーカスレンズを移動させながら前記画像信号に基づいて光学像のコントラストが最大となる合焦位置をサーチし、前記合焦位置にフォーカスレンズを移動させる自動合焦手段と、
前記被写体の撮影環境が室外であるか室内であるかを判定する判定手段と、を備え、
前記自動合焦手段は、前記サーチ時に前記判定手段が撮影環境を室外であると判定した場合はフォーカスレンズを無限遠側から至近側へ移動させ、撮影環境を室内であると判定した場合はフォーカスレンズを至近側から無限遠側へ移動させることを特徴とする撮影装置。
【請求項２】
前記判定手段は被写体輝度を検出する明るさ検出手段を備え、前記明るさ検出手段が検出した被写体輝度が所定輝度以上の場合は撮影環境を室外と判定し、所定輝度未満の場合は撮影環境を室内と判定することを特徴とする請求項１に記載の撮影装置。
【請求項３】
前記所定輝度は、Ｌｖ９〜Ｌｖ１１の間にあることを特徴とする請求項２に記載の撮影装置。
【請求項４】
前記判定手段は色温度を検出する光源検出手段を備え、前記光源検出手段が検出した色温度が所定温度以上の場合は撮影環境を室外と判定し、所定温度未満の場合は撮影環境を室内と判定することを特徴とする請求項１に記載の撮影装置。
【請求項５】
前記所定温度は、４５００Ｋ〜５５００Ｋ［ケルビン］の間であることを特徴とする請求項４に記載の撮影装置。
【請求項６】
前記判定手段はフリッカー光源を検出するフリッカー光源検出手段を備え、前記フリッカー光源検出手段がフリッカー光源を検出しない場合は撮影環境を室外と判定し、フリッカー光源を検出した場合は撮影環境を室内と判定することを特徴とする請求項１に記載の撮影装置。
【請求項７】
前記判定手段は赤外線を検出する赤外線検出手段を備え、前記赤外線検出手段が検出した赤外線が所定量以上の場合は撮影環境を室外と判定し、所定量未満の場合は撮影環境を室内と判定することを特徴とする請求項１に記載の撮影装置。
【請求項８】
前記判定手段はＧＰＳの受信感度を検出するＧＰＳ受信感度検出手段を備え、前記ＧＰＳ受信感度検出手段が検出したＧＰＳ受信感度が所定値以上の場合は撮影環境を室外と判定し、所定値未満の場合は撮影環境を室内と判定することを特徴とする請求項１に記載の撮影装置。
【請求項９】
前記判定手段は、被写体輝度を検出する明るさ検出手段、色温度を検出する光源検出手段、フリッカー光源を検出するフリッカー光源検出手段、赤外線を検出する赤外線検出手段、ＧＰＳの受信感度を検出するＧＰＳ受信感度検出手段、のうち複数の検出手段を備え、前記複数の検出手段の２以上の検出結果に応じて前記被写体の撮影環境が室外であるか室内であるかを判定することを特徴とする請求項１に記載の撮影装置。
【請求項１０】
撮影レンズを介して受光した被写体の光学像を画像信号に変換する撮影工程と、
フォーカスレンズを移動させながら前記画像信号に基づいて光学像のコントラストが最大となる合焦位置をサーチし、前記合焦位置にフォーカスレンズを移動させる自動合焦工程と、
前記被写体の撮影環境が室外であるか室内であるかを判定する判定工程と、を備え、
前記自動合焦工程は、前記サーチ時に前記判定工程で撮影環境を室外であると判定した場合はフォーカスレンズを無限遠側から至近側へ移動させ、撮影環境を室内であると判定した場合はフォーカスレンズを至近側から無限遠側へ移動させることを特徴とする撮影制御方法。
【発明の詳細な説明】
【技術分野】
【０００１】
本発明は撮影装置及び撮影制御方法に係り、特に撮影環境を検出することにより被写体までの距離を予測し、予測した距離に応じたサーチ方向で合焦動作を行う撮影装置及び撮影制御方法に関する。
【背景技術】
【０００２】
自動で合焦動作を行う際、事前に被写体位置を推定できないため、フォーカスレンズをあらかじめ決められた方向に移動させて合焦動作を行うと、合焦するまでの時間が長くなってしまう場合がある。例えば、遠い場所に被写体があるにもかかわらず近い場所から合焦動作を行うと、フォーカスレンズの移動距離が長くなり、合焦時間が長くなる。このような課題に対して、特許文献１においては、合焦動作開始時に任意方向にレンズを駆動し、コントラス値を探索して駆動方法を決定する装置について記載されている。また、特許文献２には、赤外線の出力レベルから撮影環境が室内か屋外かを判定し、室内であれば被写体に対して近い側を移動させ、屋外であれば被写体に対して遠い側を移動させて合焦動作を行う装置について記載されている。
【特許文献１】特開平５−３７８４１号公報
【特許文献２】特開２００５−２８３９５７号公報
【発明の開示】
【発明が解決しようとする課題】
【０００３】
しかしながら、特許文献１に記載の技術においては、合焦時のサーチ方向を判定するために探索を行なう必要があり、余分にサーチ時間がかかるという欠点があった。また、特許文献２に記載の技術においては、サーチ範囲を限定するために、室内か屋外かの判定を誤ったときに被写体を検出できず、合焦位置が見つからない場合があるという問題点があった。本発明はこのような事情に鑑みてなされたもので、被写体が存在する確率の高い方からサーチを開始することにより、合焦動作時間を短縮することができる撮影装置及び撮影制御方法を提供することを目的とする。
【課題を解決するための手段】
【０００４】
前記目的を達成するために請求項１に記載の撮影装置は、撮影レンズを介して受光した被写体の光学像を画像信号に変換する撮影手段と、フォーカスレンズを移動させながら前記画像信号に基づいて光学像のコントラストが最大となる合焦位置をサーチし、前記合焦位置にフォーカスレンズを移動させる自動合焦手段と、前記被写体の撮影環境が室外であるか室内であるかを判定する判定手段とを備え、前記自動合焦手段は、前記サーチ時に前記判定手段が撮影環境を室外であると判定した場合はフォーカスレンズを無限遠側から至近側へ移動させ、撮影環境を室内であると判定した場合はフォーカスレンズを至近側から無限遠側へ移動させることを特徴とする。
【０００５】
これにより、撮影環境を判断することにより被写体距離を予測し、被写体が存在する確率の高い方にサーチ方向を設定することで、ＡＦサーチ時間を短縮することができる。
【０００６】
請求項２に示すように請求項１に記載の撮影装置において、前記判定手段は被写体輝度を検出する明るさ検出手段を備え、前記明るさ検出手段が検出した被写体輝度が所定輝度以上の場合は撮影環境を室外と判定し、所定輝度未満の場合は撮影環境を室内と判定することを特徴とする。
【０００７】
これにより、適切に撮影環境が室外であるか室内であるかを判定することができる。
【０００８】
請求項３に示すように請求項２に記載の撮影装置において、前記所定輝度は、Ｌｖ９〜Ｌｖ１１の間にあることを特徴とする。
【０００９】
これにより、適切に撮影環境が室外であるか室内であるかを判定することができる。
【００１０】
請求項４に示すように請求項１に記載の撮影装置において、前記判定手段は色温度を検出する光源検出手段を備え、前記光源検出手段が検出した色温度が所定温度以上の場合は撮影環境を室外と判定し、所定温度未満の場合は撮影環境を室内と判定することを特徴とする。
【００１１】
これにより、適切に撮影環境が室外であるか室内であるかを判定することができる。
【００１２】
請求項５に示すように請求項４に記載の撮影装置において、前記所定温度は、４５００Ｋ〜５５００Ｋ［ケルビン］の間であることを特徴とする。
【００１３】
これにより、適切に撮影環境が室外であるか室内であるかを判定することができる。
【００１４】
請求項６に示すように請求項１に記載の撮影装置において、前記判定手段はフリッカー光源を検出するフリッカー光源検出手段を備え、前記フリッカー光源検出手段がフリッカー光源を検出しない場合は撮影環境を室外と判定し、フリッカー光源を検出した場合は撮影環境を室内と判定することを特徴とする。
【００１５】
これにより、適切に撮影環境が室外であるか室内であるかを判定することができる。
【００１６】
請求項７に示すように請求項１に記載の撮影装置において、前記判定手段は赤外線を検出する赤外線検出手段を備え、前記赤外線検出手段が検出した赤外線が所定量以上の場合は撮影環境を室外と判定し、所定量未満の場合は撮影環境を室内と判定することを特徴とする。
【００１７】
これにより、適切に撮影環境が室外であるか室内であるかを判定することができる。
【００１８】
請求項８に示すように請求項１に記載の撮影装置において、前記判定手段はＧＰＳの受信感度を検出するＧＰＳ受信感度検出手段を備え、前記ＧＰＳ受信感度検出手段が検出したＧＰＳ受信感度が所定値以上の場合は撮影環境を室外と判定し、所定値未満の場合は撮影環境を室内と判定することを特徴とする。
【００１９】
これにより、適切に撮影環境が室外であるか室内であるかを判定することができる。
【００２０】
請求項９に示すように請求項１に記載の撮影装置において、前記判定手段は、被写体輝度を検出する明るさ検出手段、色温度を検出する光源検出手段、フリッカー光源を検出するフリッカー光源検出手段、赤外線を検出する赤外線検出手段、ＧＰＳの受信感度を検出するＧＰＳ受信感度検出手段、のうち複数の検出手段を備え、前記複数の検出手段の検出結果に応じて前記被写体の撮影環境が室外であるか室内であるかを判定することを特徴とする。
【００２１】
これにより、適切に撮影環境が室外であるか室内であるかを判定することができる。
【００２２】
前記目的を達成するために請求項１０に記載の撮影制御方法は、撮影レンズを介して受光した被写体の光学像を画像信号に変換する撮影工程と、フォーカスレンズを移動させな
がら前記画像信号に基づいて光学像のコントラストが最大となる合焦位置をサーチし、前記合焦位置にフォーカスレンズを移動させる自動合焦工程と、前記被写体の撮影環境が室外であるか室内であるかを判定する判定工程とを備え、前記自動合焦工程は、前記サーチ時に前記判定工程で撮影環境を室外であると判定した場合はフォーカスレンズを無限遠側から至近側へ移動させ、撮影環境を室内であると判定した場合はフォーカスレンズを至近側から無限遠側へ移動させることを特徴とする。
【００２３】
これにより、撮影環境を判断することにより被写体までの距離を予測し、被写体が存在する確率の高い方にサーチ方向を設定することで、ＡＦサーチ時間を短縮することができる。
【発明の効果】
【００２４】
本発明によれば、撮影環境を判断することより被写体距離を予測し、被写体が存在する確率の高い方にサーチ方向を設定することで、ＡＦサーチ時間を短縮することができる撮影装置及び撮影制御方法を提供することができる。
【発明を実施するための最良の形態】
【００２５】
以下、添付図面に従って本発明を実施するための最良の形態について説明する。
【００２６】
＜第１の実施の形態＞
図１は、本発明が適用されたデジタルカメラの第１の実施の形態の電気的構成を示すブロック図である。
【００２７】
同図に示すように、本実施の形態のデジタルカメラ１０は、ＣＰＵ１１、操作部１２、ズームレンズ用モータドライバ１３、ズームレンズ１４、フォーカスレンズ用モータドライバ１５、フォーカスレンズ１６、手ブレ補正制御部１７、手ブレ補正レンズ１８、タイミングジェネレータ１９、ＣＣＤドライバ２０、ＣＣＤ２１、アナログ信号処理部２２、Ａ／Ｄ変換器２３、画像入力コントローラ２４、画像信号処理回路２５、圧縮処理回路２６、ビデオエンコーダ２７、画像表示装置２８、バス２９、メディアコントローラ３０、記録メディア３１、メモリ（ＳＤＲＡＭ）３２、ＡＦ検出回路３３、ＡＥ検出回路３４等を備えて構成される。
【００２８】
各部はＣＰＵ１１に制御されて動作し、ＣＰＵ１１は、操作部１２からの入力に基づき所定の制御プログラムを実行することにより、デジタルカメラ１０の各部を制御する。
【００２９】
ＣＰＵ１１はプログラムＲＯＭを内蔵しており、このプログラムＲＯＭにはＣＰＵ１１が実行する制御プログラムのほか、制御に必要な各種データ等が記録されている。ＣＰＵ１１は、このプログラムＲＯＭに記録された制御プログラムをメモリ３２に読み出し、逐次実行することにより、デジタルカメラ１０の各部を制御する。
【００３０】
なお、このメモリ３２は、プログラムの実行処理領域として利用されるほか、画像データ等の一時記憶領域、各種作業領域として利用される。
【００３１】
操作部１２は、電源スイッチやレリーズボタン、撮影モードダイヤル、手ブレ補正スイッチ等のカメラの一般的な操作手段を含み、操作に応じた信号をＣＰＵ１１に出力する。
【００３２】
フォーカスレンズ１６は、フォーカス用モータドライバ１５に駆動されて、ズームレンズ１４の光軸上を前後移動する。ＣＰＵ１１は、フォーカス用モータドライバ１５を介してフォーカスレンズ１６の移動を制御し、フォーカシングを行う。
【００３３】
ズームレンズ１４は、ズームレンズ用モータドライバ１３に駆動されて、フォーカスレンズ１６の光軸上を前後移動する。ＣＰＵ１１は、ズームレンズ用モータドライバ１３を介してズームレンズ１４の移動を制御し、ズーミングを行う。
【００３４】
手ブレ補正レンズ１８は、レンズ面内の直交する２つの方向それぞれに手ブレを打ち消すように手ブレ補正制御部１７により制御され、ズームレンズ１４、及びフォーカスレンズ１６を介した被写体像の手ブレを補正し、手ブレ補正後の被写体像をＣＣＤ２１へ透過させる。
【００３５】
ＣＣＤ２１は、手ブレ補正レンズ１８の後段に配置されており、手ブレ補正レンズ１８を透過した被写体光を受光する。ＣＣＤ２１は、周知のように多数の受光素子がマトリクス状に配列された受光面を備えている。補正レンズ１８を透過した被写体光は、このＣＣＤ２１の受光面上に結像され、各受光素子によって電気信号に変換される。
【００３６】
このＣＣＤ２１は、タイミングジェネレータ１９からＣＣＤドライバ２０を介して供給される垂直転送クロック及び水平転送クロックに同期して、各画素に蓄積された電荷を１ラインずつシリアルな画像信号として出力する。ＣＰＵ１１は、タイミングジェネレータ１９を制御して、ＣＣＤ２１の駆動を制御する。
【００３７】
なお、各画素の電荷蓄積時間（露出時間）は、タイミングジェネレータ１９から与えられる電子シャッタ駆動信号によって決められる。ＣＰＵ１１は、タイミングジェネレータ１９に対して電荷蓄積時間を指示する。
【００３８】
また、画像信号の出力は、デジタルカメラ１０が撮影モードにセットされると開始される。すなわち、デジタルカメラ１０が撮影モードにセットされると、画像表示装置２８にスルー画像を表示するため、画像信号の出力が開始される。このスルー画像用の画像信号の出力は、本撮影の指示が行われると、一旦停止され、本撮影が終了すると、再度開始される。
【００３９】
ＣＣＤ２１から出力される画像信号は、アナログ信号であり、このアナログの画像信号は、アナログ信号処理部２２に取り込まれる。
【００４０】
アナログ信号処理部２２は、相関二重サンプリング回路（ＣＤＳ）、及び自動ゲインコントロール回路（ＡＧＣ）を含んで構成される。ＣＤＳは、画像信号に含まれるノイズの除去を行い、ＡＧＣは、ノイズ除去された画像信号を所定のゲインで増幅する。このアナログ信号処理部２２で所要の信号処理が施されたアナログの画像信号は、Ａ／Ｄ変換器２３に取り込まれる。
【００４１】
Ａ／Ｄ変換器２３は、取り込んだアナログの画像信号を所定ビットの階調幅を持ったデジタルの画像信号に変換する。この画像信号は、いわゆるＲＡＷデータであり、画素ごとＲ、Ｇ、Ｂの濃度を示す階調値を有している。
【００４２】
画像入力コントローラ２４は、所定容量のラインバッファを内蔵しており、Ａ／Ｄ変換器２３から出力された１コマ分の画像信号を蓄積する。この画像入力コントローラ２４に蓄積された１コマ分の画像信号は、バス２９を介してメモリ３２に格納される。
【００４３】
バス２９には、上記ＣＰＵ１１、メモリ３２、画像入力コントローラ２４のほか、画像信号処理回路２５、圧縮処理回路２６、ビデオエンコーダ２７、メディアコントローラ３０、ＡＦ検出回路３３、ＡＥ検出回路３４等が接続されており、これらはバス２９を介して互いに情報を送受信できるようにされている。
【００４４】
メモリ３２に格納された１コマ分の画像信号は、点順次（画素の順番）に画像信号処理回路２５に取り込まれる。
【００４５】
画像信号処理回路２５は、点順次に取り込んだＲ、Ｇ、Ｂの各色の画像信号に対して所定の信号処理を施し、輝度信号Ｙと色差信号Ｃｒ、Ｃｂとからなる画像信号（Ｙ／Ｃ信号）を生成する。
【００４６】
ＡＦ検出回路３３は、ＣＰＵ１１の指令に従い、画像入力コントローラ２４を介してメモリ３２に格納されたＲ、Ｇ、Ｂの画像信号を取り込み、ＡＦ（Automatic Focus）制御に必要な焦点評価値を算出する。このＡＦ検出回路３３は、Ｇ信号の高周波成分のみを通過させるハイパスフィルタ、絶対値化処理部、画面に設定された所定のフォーカス領域内の信号を切り出すフォーカス領域抽出部、及び、フォーカス領域内の絶対値データを積算する積算部を含み、この積算部で積算されたフォーカス領域内の絶対値データを焦点評価値としてＣＰＵ１１に出力する。ＣＰＵ１１は、ＡＦ制御時、このＡＦ検出回路３３から出力される焦点評価値が極大となる位置をサーチし、その位置にフォーカスレンズ１６を移動させることにより、主要被写体への焦点合わせを行う。後述するように、このフォーカスレンズ１６の移動方向は、判定された撮影環境に応じて至近側から無限遠側、又は無限遠側から至近側のいずれかが選択される。
【００４７】
ＡＥ検出回路３４は、ＣＰＵ１１の指令に従い、画像入力コントローラ２４を介してメモリ３２に格納されたＲ、Ｇ、Ｂの画像信号を取り込み、ＡＥ制御に必要な積算値を算出する。ＣＰＵ１１は、積算値から輝度値を算出し、輝度値から露出値を求める。また露出値から所定のプログラム線図に従って、絞り値及びシャッタ速度を決定する。
【００４８】
圧縮処理回路２６は、ＣＰＵ１１からの圧縮指令に従い、入力された輝度信号Ｙと色差信号Ｃｒ、Ｃｂとからなる画像信号（Ｙ／Ｃ信号）に所定形式（たとえば、ＪＰＥＧ）の圧縮処理を施し、圧縮画像データを生成する。また、ＣＰＵ１１からの伸張指令に従い、入力された圧縮画像データに所定形式の伸張処理を施して、非圧縮の画像データを生成する。
【００４９】
ビデオエンコーダ２７は、ＣＰＵ１１からの指令に従い、画像表示装置２８への表示を制御する。
【００５０】
メディアコントローラ３０は、ＣＰＵ１１からの指令に従い、記録メディア３１に対してデータの読み／書きを制御する。なお、記録メディア３１は、メモリカードのようにカメラ本体に対して着脱自在なものでもよいし、また、カメラ本体に内蔵されたものでもよい。着脱自在とする場合は、カメラ本体にカードスロットを設け、このカードスロットに装填して使用する。
【００５１】
ここで、合焦動作時のフォーカスレンズ１６の移動方向について説明する。図２に示すように、フォーカスレンズ１６の移動可能範囲において、右端が最も至近位置での合焦位置、左端が無限遠位置での合焦位置を示す。一般に、室内での撮影においては、被写体は撮影者の比較的近くに存在と考えられる。従って、フォーカスレンズ１６を移動させながら合焦位置のサーチを行うにあたって、室内での撮影時は至近側から無限遠側へ、即ち図２の右側から左側へフォーカスレンズ１６を移動させる方が、早く被写体の合焦位置へ到達する確率が高い。反対に、室外での撮影においては、被写体は撮影者から比較的遠い位置に存在すると考えられる。従って、室外での撮影時は無限遠側から至近側へ、即ち図２の左側から右側へフォーカスレンズ１６を移動させる方が、早く被写体の合焦位置へ到達する確率が高い。
【００５２】
このように、撮影環境が室内か室外かを判断してサーチ方向を決定することにより、合焦動作におけるフォーカスレンズ１６の移動距離を短くでき、サーチ時間を短縮することができる。
【００５３】
次に、本実施の形態における合焦動作時のフォーカスレンズ１６の移動方向の決定方法について説明する。図３は、この処理の動作を示すフローチャートである。
【００５４】
最初に、被写体の輝度を取得する（ステップＳ３１）。前述したように、ＡＥ検出回路３４が算出した積算値に基づいて、ＣＰＵ１１が絞り値及びシャッタ速度を算出する。ここで算出された絞り値をＦ、シャッタ速度をＴとすると、被写体輝度Ｌｖは以下のように表される。
【００５５】
［数１］
Ｌｖ＝Ｌｏｇ２（Ｆ２）＋Ｌｏｇ２（１／シャッタ速度）
次に、算出された被写体輝度Ｌｖが１０より大きいか否かを判定する（ステップＳ３２）。
【００５６】
１０より大きい場合は、撮影環境を室外であると判断し、フォーカスレンズ１６を無限遠側へ駆動し（ステップＳ３３）、無限遠側から至近側へ移動させながら合焦位置をサーチする（ステップＳ３４）。前述したように、合焦位置のサーチは、ＡＦ検出回路３３が算出した焦点評価値に基づいて、ＣＰＵ１１が焦点評価値が極大となる位置をサーチすることにより行なう。例えば、評価値が増加から減少に転じるピークが検出された場合を合焦位置と判定する。図１４（ａ）は、各レンズ位置におけるＡＦ評価値と、無限遠側から合焦位置をサーチする動作を示した図である。同図に示すように、撮影環境が室外の場合は、デジタルカメラ１から離れた位置に被写体が存在する可能性が高い。同図に示すように、無限縁側から合焦位置をサーチし、評価値のピークを過ぎた位置までサーチした後に合焦位置へ移動することにより、フォーカスレンズ１６の移動距離を短くでき、サーチ時間を短縮することができる。
【００５７】
逆に、算出された被写体輝度が１０以下の場合は、撮影環境を室内であると判断し、フォーカスレンズ１６を至近側へ駆動し（ステップＳ３５）、至近側から無限遠側へ移動させながら合焦位置をサーチする（ステップＳ３６）。図１４（ｂ）は、各レンズ位置におけるＡＦ評価値と、至近側から合焦位置をサーチする動作を示した図である。同図に示すように、撮影環境が室内の場合は、デジタルカメラ１から近い位置に被写体が存在する可能性が高い。同図に示すように、至近側から合焦位置をサーチし、評価値のピークを過ぎた位置までサーチした後に合焦位置へ移動することにより、フォーカスレンズ１６の移動距離を短くでき、サーチ時間を短縮することができる。
【００５８】
このように、合焦位置の判定を行い（ステップＳ３７）、合焦位置へフォーカスレンズ１６を駆動する（ステップＳ３８）。
【００５９】
なお、合焦位置の判定は他のアルゴリズムを用いてもよいが、無限遠側端から至近側端、又は至近側端から無限遠側端へサーチを行なってしまうとサーチ方向を判定した意味がなくなるので、サーチ途中で合焦位置を判定可能なアルゴリズムを用いる。
【００６０】
以上のように、算出した被写体輝度に基づいて撮影環境が室内か室外かを判断してサーチ方向を決定することにより、合焦動作におけるフォーカスレンズ１６の移動距離を短くでき、サーチ時間を短縮することができる。
【００６１】
なお、本実施の形態では被写体輝度Ｌｖが１０より大きい場合を室外、１０以下の場合を室内と判定したが、この閾値は１０に限られるものではなく、Ｌｖ＝９〜１１であればどの値でもよい。
【００６２】
＜第２の実施の形態＞
次に、第２の実施の形態における合焦動作時のフォーカスレンズ１６の移動方向の決定方法について説明する。図４は、第２の実施の形態のこの処理の動作について示したフローチャートである。なお、図３のフローチャートと共通する部分には同一の符号を付し、その詳細な説明は省略する。
【００６３】
最初に、撮影環境の色温度を取得する（ステップＳ４１）。ここでは、ＣＰＵ１１が、ＡＥ検出回路３４で算出されたＲ、Ｇ、Ｂごとの画像信号の積算値に基づいて撮影環境の色温度を算出する。次に、算出された色温度が５０００Ｋより高いか否かを判定する（ステップＳ４２）。
【００６４】
５０００Ｋより高い場合は、撮影環境を室外であると判断し、フォーカスレンズ１６を無限遠側へ駆動し（ステップＳ３３）、無限遠側から至近側へ移動させながら合焦位置をサーチする（ステップＳ３４）。逆に、５０００Ｋ以下の場合は、撮影環境を室内であると判断し、フォーカスレンズ１６を至近側へ駆動し（ステップＳ３５）、至近側から無限遠側へ移動させながら合焦位置をサーチする（ステップＳ３６）。サーチの結果から合焦位置の判定を行い（ステップＳ３７）、合焦位置へフォーカスレンズ１６を駆動する（ステップＳ３８）。
【００６５】
このように、算出した色温度に基づいて撮影環境が室内か室外かを判断してサーチ方向を決定することにより、合焦動作におけるフォーカスレンズ１６の移動距離を短くでき、サーチ時間を短縮することができる。
【００６６】
なお、本実施の形態では色温度が５０００Ｋより高い場合を室外、５０００Ｋ以下の場合を室内と判定したが、この閾値は５０００Ｋに限られるものではなく、４５００Ｋ〜５５００Ｋであればどの値でもよい。
【００６７】
＜第３の実施の形態＞
次に、第３の実施の形態における合焦動作時のフォーカスレンズ１６の移動方向の決定方法について説明する。
【００６８】
図５は、デジタルカメラ１０の第３の実施の形態の電気的構成を示すブロック図である。図１に示すブロック図とは、フリッカー検出部３５を備えたところが異なる。フリッカー検出部３５は、６０Ｈｚ又は５０Ｈｚのフリッカーを検出することにより、撮影環境の光源が蛍光灯である、即ち室内であることを判断するための回路である。フリッカー検出部３５は、ＣＣＤ２１により得られた画像信号に基づいてフリッカーの検出を行うが、フリッカーの検出方法はこの方法に限られるものではなく、例えばフリッカーセンサを用いたものでもよい。
【００６９】
図６は、第３の実施の形態の合焦動作時のフォーカスレンズ１６の移動方向の決定処理について示したフローチャートである。なお、図３のフローチャートと共通する部分には同一の符号を付し、その詳細な説明は省略する。
【００７０】
最初に、撮影環境のフリッカーを検出する（ステップＳ６１）。前述したように、フリッカーの検出はフリッカー検出部３５により行われる。次に、フリッカーが検出されたか否かを判定する（ステップＳ６２）。
【００７１】
フリッカーが検出されなかった場合は、撮影環境を室外であると判断し、フォーカスレンズ１６を無限遠側へ駆動し（ステップＳ３３）、無限遠側から至近側へ移動させながら合焦位置をサーチする（ステップＳ３４）。逆に、フリッカーが検出された場合は、撮影環境を室内であると判断し、フォーカスレンズ１６を至近側へ駆動し（ステップＳ３５）、至近側から無限遠側へ移動させながら合焦位置をサーチする（ステップＳ３６）。サーチの結果から合焦位置の判定を行い（ステップＳ３７）、合焦位置へフォーカスレンズ１６を駆動する（ステップＳ３８）。
【００７２】
このように、フリッカーが検出されたか否かに基づいて撮影環境が室内か室外かを判断してサーチ方向を決定することにより、合焦動作におけるフォーカスレンズ１６の移動距離を短くでき、サーチ時間を短縮することができる。
【００７３】
＜第４の実施の形態＞
次に、第４の実施の形態における合焦動作時のフォーカスレンズ１６の移動方向の決定方法について説明する。
【００７４】
図７は、デジタルカメラ１０の第４の実施の形態の電気的構成を示すブロック図である。図１に示すブロック図とは、赤外線検出部３６を備えたところが異なる。赤外線検出部３６は、撮影環境中の赤外線を検出することにより、撮影環境が室外であることを判断するための回路である。赤外線検出部３６はボロメータ型の赤外線センサを備え、赤外線を検出する。赤外線を検出する方式はボロメータ型に限られるものではなく、例えば光導電型のセンサでもよい。また、専用の赤外線センサを持たずに赤外線リモコンの受信センサ等で兼用してもよい。
【００７５】
図８は、第４の実施の形態の合焦動作時のフォーカスレンズ１６の移動方向の決定処理について示したフローチャートである。なお、図３のフローチャートと共通する部分には同一の符号を付し、その詳細な説明は省略する。
【００７６】
最初に、撮影環境の赤外線を検出する（ステップＳ８１）。前述したように、赤外線の検出は赤外線検出部３６により行われる。次に、検出した赤外線が所定値より多いか否かを判定する（ステップＳ８２）。
【００７７】
検出した赤外線が所定値より多い場合は、撮影環境を室外であると判断し、フォーカスレンズ１６を無限遠側へ駆動し（ステップＳ３３）、無限遠側から至近側へ移動させながら合焦位置をサーチする（ステップＳ３４）。逆に、所定値より少ない場合は、撮影環境を室内であると判断し、フォーカスレンズ１６を至近側へ駆動し（ステップＳ３５）、至近側から無限遠側へ移動させながら合焦位置をサーチする（ステップＳ３６）。サーチの結果から合焦位置の判定を行い（ステップＳ３７）、合焦位置へフォーカスレンズ１６を駆動する（ステップＳ３８）。
【００７８】
このように、検出された赤外線が所定値より多いか否かに基づいて撮影環境が室内か室外かを判断してサーチ方向を決定することにより、合焦動作におけるフォーカスレンズ１６の移動距離を短くでき、サーチ時間を短縮することができる。
【００７９】
＜第５の実施の形態＞
次に、第５の実施の形態における合焦動作時のフォーカスレンズ１６の移動方向の決定方法について説明する。
【００８０】
図９は、デジタルカメラ１０の第５の実施の形態の電気的構成を示すブロック図である
。図１に示すブロック図とは、ＧＰＳ受信部３７を備えたところが異なる。ＧＰＳ受信部３７は、ＧＰＳ衛星からのＧＰＳ電波を受信することにより受信感度レベルを検出し、検出した受信感度レベルから撮影環境が室外であるか室内であるかを判断するための回路である。
【００８１】
図１０は、第５の実施の形態の合焦動作時のフォーカスレンズ１６の移動方向の決定処理について示したフローチャートである。なお、図３のフローチャートと共通する部分には同一の符号を付し、その詳細な説明は省略する。
【００８２】
最初に、撮影環境のＧＰＳ受信感度レベルを検出する（ステップＳ１０１）。前述したように、ＧＰＳ受信感度レベルの検出はＧＰＳ受信部３７により行われる。次に、検出したＧＰＳ受信感度レベルが所定値より大きいか否かを判定する（ステップＳ１０２）。
【００８３】
検出したＧＰＳ受信感度レベルが所定値より大きい場合は、撮影環境を室外であると判断し、フォーカスレンズ１６を無限遠側へ駆動し（ステップＳ３３）、無限遠側から至近側へ移動させながら合焦位置をサーチする（ステップＳ３４）。逆に、所定値より小さい場合は、撮影環境を室内であると判断し、フォーカスレンズ１６を至近側へ駆動し（ステップＳ３５）、至近側から無限遠側へ移動させながら合焦位置をサーチする（ステップＳ３６）。サーチの結果から合焦位置の判定を行い（ステップＳ３７）、合焦位置へフォーカスレンズ１６を駆動する（ステップＳ３８）。
【００８４】
このように、検出されたＧＰＳ受信感度レベルが所定値より大きいか否かに基づいて撮影環境が室内か室外かを判断してサーチ方向を決定することにより、合焦動作におけるフォーカスレンズ１６の移動距離を短くでき、サーチ時間を短縮することができる。
【００８５】
＜第６の実施の形態＞
次に、第６の実施の形態における合焦動作時のフォーカスレンズ１６の移動方向の決定方法について説明する。
【００８６】
図１１は、デジタルカメラ１０の第６の実施の形態の電気的構成を示すブロック図である。図１に示すブロック図とは、フリッカー検出部３５、赤外線検出部３６、及びＧＰＳ受信部３７を備えたところが異なる。フリッカー検出部３５はフリッカーを検出することにより、赤外線検出部３６は撮影環境中の赤外線を検出することにより、ＧＰＳ受信部３７はＧＰＳ電波の受信感度レベルを検出することにより、それぞれ撮影環境が室外であるか室内であるかを判断するための回路である。
【００８７】
図１２は、第６の実施の形態の合焦動作時のフォーカスレンズ１６の移動方向の決定処理について示したフローチャートである。なお、図３のフローチャートと共通する部分には同一の符号を付し、その詳細な説明は省略する。
【００８８】
最初に、被写体輝度による室内・室外判定を行う（ステップＳ１２１）。第１の実施の形態と同様に、絞り値及びシャッタ速度に基づいて輝度値Ｌｖを算出し、算出された被写体輝度Ｌｖが１０より大きいか否かを判定する。この被写体輝度Ｌｖが１０より大きい場合は撮影環境を室外であると判断し、１０以下の場合は撮影環境を室内であると判断する。
【００８９】
次に、撮影環境の色温度による室内・室外判定を行なう（ステップＳ１２２）。第２の実施の形態と同様に、ＡＥ検出回路３４で算出されたＲ、Ｇ、Ｂごとの画像信号の積算値に基づいて撮影環境の色温度を算出し、算出された色温度が５０００Ｋより高いか否かを判定する。この色温度が５０００Ｋより高い場合は撮影環境を室外であると判断し、５０
００Ｋ以下の場合は撮影環境を室内であると判断する。
【００９０】
次に、フリッカーの有無による室内・室外判定を行う（ステップＳ１２３）。第３の実施の形態と同様に、フリッカー検出部３５によりフリッカー検出が行われ、フリッカーが検出されたか否かを判定する。フリッカーが検出されなかった場合は撮影環境を室外であると判断し、フリッカーが検出された場合は撮影環境を室内であると判断する。
【００９１】
さらに、赤外線による室内・室外判定を行う（ステップＳ１２４）。第４の実施の形態と同様に、赤外線検出部３６により赤外線検出を行い、検出した赤外線が所定値より多いか否かを判定する。検出した赤外線が所定値より多い場合は撮影環境を室外であると判断し、所定値より少ない場合は撮影環境を室内であると判断する。
【００９２】
最後に、ＧＰＳ受信感度レベルによる室内・室外判定を行う（ステップＳ１２５）。第５の実施の形態と同様に、ＧＰＳ受信部３７によりＧＰＳ受信感度レベルの検出を行い、検出したＧＰＳ受信感度レベルが所定値より大きいか否かを判定する。検出したＧＰＳ受信感度レベルが所定値より大きい場合は撮影環境を室外であると判断し、所定値より小さい場合は、撮影環境を室内であると判断する。
【００９３】
そして、これらの５つの判定結果において、室外と判定したものが３つ以上存在するか否かを判定する（ステップＳ１２６）。
【００９４】
３つ以上存在する場合は、最終的に撮影環境を室外であると判断し、フォーカスレンズ１６を無限遠側へ駆動し（ステップＳ３３）、無限遠側から至近側へ移動させながら合焦位置をサーチする（ステップＳ３４）。逆に、３つ未満の場合は、最終的に撮影環境を室内であると判断し、フォーカスレンズ１６を至近側へ駆動し（ステップＳ３５）、至近側から無限遠側へ移動させながら合焦位置をサーチする（ステップＳ３６）。サーチの結果から合焦位置の判定を行い（ステップＳ３７）、合焦位置へフォーカスレンズ１６を駆動する（ステップＳ３８）。
【００９５】
このように、複数の検出手段により撮影環境を判断し、総合的に撮影環境が室内か室外かを判断してサーチ方向を決定することにより、合焦動作におけるフォーカスレンズ１６の移動距離を短くでき、サーチ時間を短縮することができる。
【００９６】
本実施の形態では、複数の検出手段による判定結果に対して、多数決で最終的に室内であるか室外であるかを判断したが、判定結果に重み付けを行なって、総合的に判断してもよい。例えば、図１３に示すような重み付けを行い、室外であると判定した項目の重み付け点数を合計し、所定の点数以上の場合に室外であると判断する。また、複数の検出手段のうち１つでも室外であると判定した場合は、最終的に室外であると判断してもよい。また、複数の検出手段について優先順位を付けてもよい。例えば、フリッカーが検出された場合は最終的に室内と判断するが、フリッカーが検出されない場合は、その他の検出手段における多数決で最終的に室内であるか室外であるかを判断してもよい。
【図面の簡単な説明】
【００９７】
【図１】図１は、本発明が適用されたデジタルカメラの第１の実施の形態の電気的構成を示すブロック図である。
【図２】図２は、フォーカスレンズ１６の移動方向について示した図である。
【図３】図３は、第１の実施の形態のフォーカスレンズ１６の移動方向を決定する処理を示すフローチャートである。
【図４】図４は、第２の実施の形態のフォーカスレンズ１６の移動方向を決定する処理を示すフローチャートである。
【図５】図５は、デジタルカメラ１０の第３の実施の形態の電気的構成を示すブロック図である。
【図６】図６は、第３の実施の形態の合焦動作時のフォーカスレンズ１６の移動方向の決定処理について示したフローチャートである。
【図７】図７は、デジタルカメラ１０の第４の実施の形態の電気的構成を示すブロック図である。
【図８】図８は、第４の実施の形態の合焦動作時のフォーカスレンズ１６の移動方向の決定処理について示したフローチャートである。
【図９】図９は、デジタルカメラ１０の第５の実施の形態の電気的構成を示すブロック図である。
【図１０】図１０は、第５の実施の形態の合焦動作時のフォーカスレンズ１６の移動方向の決定処理について示したフローチャートである。
【図１１】図１１は、デジタルカメラ１０の第６の実施の形態の電気的構成を示すブロック図である。
【図１２】図１２は、第６の実施の形態の合焦動作時のフォーカスレンズ１６の移動方向の決定処理について示したフローチャートである。
【図１３】図１３は、複数の検出項目における重み付けについて示した図である。
【図１４】図１４は、各レンズ位置におけるＡＦ評価値と、フォーカスレンズ１６の合焦位置をサーチする動作を示した図である。
【符号の説明】
【００９８】
１０…デジタルカメラ、１１…ＣＰＵ、１２…操作部、１５…フォーカスレンズ用モータドライバ、１６…フォーカスレンズ、１７…手ブレ補正制御回路、１８…手ブレ補正レンズ、２１…ＣＣＤ、２２…アナログ信号処理回路、２３…Ａ／Ｄ変換器、２４…画像入力コントローラ、２５…画像信号処理回路、２６…圧縮処理回路、３２…メモリ、３３…ＡＦ検出回路、３４…ＡＥ検出回路、３５…フリッカー検出部、３６…赤外線検出部、３７…ＧＰＳ受信部
【図１】
2009086349.tif 000003
【図２】
2009086349.tif 000004
【図３】
2009086349.tif 000005
【図４】
2009086349.tif 000006
【図５】
2009086349.tif 000007
【図６】
2009086349.tif 000008
【図７】
2009086349.tif 000009
【図８】
2009086349.tif 000010
【図９】
2009086349.tif 000011
【図１０】
2009086349.tif 000012
【図１１】
2009086349.tif 000013
【図１２】
2009086349.tif 000014
【図１３】
2009086349.tif 000015
【図１４】
2009086349.tif 000016